(57)【特許請求の範囲】
【請求項１】
蓋体を装着するための切り込み部分が形成されているケース本体と、このケース本体の切り込み部分に開閉可能に設けられた蓋体の開閉機構であって、前記ケース本体が、各種操作スイッチや表示パネルが実装された操作ケースの前面に前記切り込み部を有する化粧枠を装着してなるリモコン装置の形態とされるとともに、前記蓋体が前記化粧枠に装着されてなるものにおいて、
前記ケース本体側の切り込み部分に前記化粧枠と一体成形で設けられた弾性変形可能な弾発係止部材と、前記蓋体と一体成形され、前記蓋体の開閉動作に連動して前記弾発係止部材を弾性変形させる押圧部材とを備えてなり、
前記弾発係止部材は、その両端が切り欠かれることによって前記切り込み部分とは独立して弾性変形可能に構成されるとともに、その先端に球状の係止部が突出状に備えられ、この係止部を介して前記弾発係止部材と押圧部材とが接触するものとされ、
前記押圧部材は、前記蓋体の基端部に内側に断面が略三角形状に突出する一対の傾斜面を備え、この一対の傾斜面は、前記蓋体を閉じたときに弾発係止部材の弾発力が作用する閉止状態維持面と、蓋体の開閉動作中に弾発係止部材が接触する接触面とを構成し、
前記蓋体の閉止動作に連動した押圧部材の働きによって、前記蓋体の閉止動作開始当初に蓋体の表面側に弾発的に当接されていた弾発係止部材が、蓋体の閉止動作に伴って弾性変形しつつ閉止動作の継続によって押圧部材の頂上を乗り越えて前記閉止状態維持面に到達することにより、前記弾発係止部材の弾発力が前記閉止状態維持面に作用して、前記蓋体を閉止方向に付勢するように構成されている
ことを特徴とする蓋開閉機構。
【請求項２】
前記弾発係止部材および押圧部材が、前記ケース本体と蓋体との連結部に対向して複数配設されてなる
ことを特徴とする請求項１に記載の蓋開閉機構。
【発明の詳細な説明】
【０００１】
【発明の属する技術分野】
この発明は、蓋開閉機構に関し、より詳細には、たとえば給湯器のリモコン装置などにおける隠しスイッチを覆う蓋部材の開閉機構に関する。
【０００２】
【従来の技術】
従来、給湯器のリモコン装置（遠隔操作装置）などにおいては、その前面に開閉自在の蓋部材（蓋体）を設けることにより、装置前面に設けられた複数のスイッチ類等の一部を当該蓋部材で覆い隠す手法が採用されている。
【０００３】
そして、このような蓋部材の開閉機構（蓋開閉機構）、特に蓋部材を閉じた状態（閉止状態）で維持する機構については、従来、たとえば図１１(a) に示すように磁性体と鉄片を用いるものと、図１１(b) に示すように、係合突起と係合溝とによって行うものが提供されていた。
【０００４】
すなわち、図１１(a) の場合、リモコン装置ａの本体側または蓋部材ｂのいずれか一方に磁性体（磁石）ｃを封入するとともに（図示例ではリモコン装置ａ側に磁性体ｃを封入する）、他方に鉄片ｄが封入されている。そしてこの場合、蓋部材ｂを閉じると、上記磁性体ｃと鉄片ｄとが磁気による吸引作用で互いに引き合い、これによって上記蓋部材ｂの閉止状態が維持されている。つまり、図１１(a) に示す構成では、磁性体ｃと鉄片ｄの磁気による吸引力によって蓋部材ｂの閉止状態が維持され、そして、この吸引力に抗して蓋部材ｂを引き開ける操作を行うことによって該蓋部材ｂが開放状態とされている。
【０００５】
一方、図１１(b) の場合は、蓋部材ｂの先端部両端に、それぞれ係合突起ｅ，ｅが設けられるとともに、リモコン装置ａの本体側の所定位置に、上記蓋部材ｂを閉じた際に係合突起ｅ，ｅと係合する係合溝（ないしは係合穴）ｆが設けられている。この場合、上記リモコン装置ａの本体側（係合溝ｆ）および蓋部材ｂ（係合突起ｅ）はいずれもプラスチック成形品とされ（たとえば、ＡＢＳ樹脂などの形成品）、蓋部材ｂを閉じることによって上記係合突起ｅが係合溝ｆに係脱可能に嵌合するように構成される。つまり、図１１(b) においては、蓋部材ｂを閉じる際に、上記係合突起ｅをリモコン装置ａ本体側の係合溝ｆに嵌合させることによって上記蓋部材ｂの閉止状態が維持され、この嵌合状態を解除することによって蓋部材ｂが開放状態とされる。
【０００６】
【発明が解決しようとする課題】
しかしながら、このような従来の蓋開閉機構では以下のような問題があり、その改善が望まれていた。
【０００７】
すなわち、上記図１１(a) の蓋開閉機構を採用する場合、リモコン装置が本来その機能を実現するために必要とされる構成部品の他に、蓋開閉用の部品として磁性体ｃや鉄片ｄが必要となり部品点数が増加する。しかも、この場合、これらの磁性体ｃや鉄片ｄは、いずれもリモコン装置ａの本体や蓋部材ｂに封入されねばならないので、これらの封入作業が別途必要となり、その結果、リモコン装置製造コストの上昇を招くという問題があった。しかも、かかる場合、上記封入作業において磁性体ｃや鉄片ｄの入れ忘れが発生することがあるので、リモコン装置の販売後に上記磁性体ｃなどの入れ忘れによる動作不良が発覚することがあった。
【０００８】
その一方、上記図１１(b) の蓋開閉機構では、蓋部材ｂの開閉を円滑に（堅すぎず滑らかに）行わせるには、係合突起ｅおよび係合溝ｆの形状・寸法を正確に設定・管理することが必要となる。しかしながら、かかる正確な寸法・形状をもった部材を製作するのは難しく、実際には蓋部材ｂの開閉が堅すぎたり、緩すぎたりするなどのバラツキを生じ、その結果、この場合においても上記同様に動作不良を生じるという問題があった。また、この場合、係合突起ｅの磨耗等により蓋部材ｂの閉止状態維持が困難となることもあった。
【０００９】
本発明はかかる従来の問題点に鑑みてなされたものであって、その目的とするところは、製造コストを安く抑えるとともに、厳格な寸法管理を必要とせずに長期間安定して蓋の開閉を円滑に行い得る蓋開閉機構を提供することにある。
【００１０】
【課題を解決するための手段】
上記目的を達成するため、本発明に係る蓋開閉機構は、蓋体を装着するための切り込み部分が形成されているケース本体と、このケース本体の切り込み部分に開閉可能に設けられた蓋体の開閉機構であって、上記ケース本体が、各種操作スイッチや表示パネルが実装された操作ケースの前面に上記切り込み部を有する化粧枠を装着してなるリモコン装置の形態とされるとともに、上記蓋体が上記化粧枠に装着されてなるものにおいて、上記ケース本体側の切り込み部分に上記化粧枠と一体成形で設けられた弾性変形可能な弾発係止部材と、上記蓋体と一体成形され、上記蓋体の開閉動作に連動して上記弾発係止部材を弾性変形させる押圧部材とを備えてなり、上記弾発係止部材は、その両端が切り欠かれることによって上記切り込み部分とは独立して弾性変形可能に構成されるとともに、その先端に球状の係止部が突出状に備えられ、この係止部を介して上記弾発係止部材と押圧部材とが接触するものとされ、上記押圧部材は、上記蓋体の基端部に内側に断面が略三角形状に突出する一対の傾斜面を備え、この一対の傾斜面は、上記蓋体を閉じたときに弾発係止部材の弾発力が作用する閉止状態維持面と、蓋体の開閉動作中に弾発係止部材が接触する接触面とを構成し、上記蓋体の閉止動作に連動した押圧部材の働きによって、上記蓋体の閉止動作開始当初に蓋体の表面側に弾発的に当接されていた弾発係止部材が、蓋体の閉止動作に伴って弾性変形しつつ閉止動作の継続によって押圧部材の頂上を乗り越えて上記閉止状態維持面に到達することにより、上記弾発係止部材の弾発力が上記閉止状態維持面に作用して、上記蓋体を閉止方向に付勢するように構成されていることを特徴とする。
【００１１】
すなわち、本発明に係る蓋開閉機構では、蓋体の開閉動作に連動して押圧部材により弾発係止部材が弾性変形させられる。そして、上記蓋体が閉じられたときに、弾性変形により蓄積された弾発係止部材の弾発力が押圧部材の一方の傾斜面に作用し、これによって蓋体が閉止方向（蓋体を閉じようとする方向）に付勢される。つまり、本発明の蓋開閉機構では、この弾発係止部材の弾性復帰力により蓋体を付勢することで、該蓋体の閉止状態が維持される。
【００１２】
具体的には、上記押圧部材が上記蓋体の基端部に設けられるとともに、上記弾発係止部材がこの押圧部材に対向するように上記ケース本体に設けられ、上記蓋体を閉じた際に、上記弾発係止部材の弾発力が上記蓋体の基端部に作用するように構成される。なお、ここで基端部とは、蓋体のヒンジ側を意味している。
【００１３】
すなわち、この場合、たとえば図９に図示されるように、蓋体（蓋部材３）が閉じられることにより（図９(d) 参照）、弾発係止部材（弾発係止部１８）が蓋体の基端部に対して蓋体を閉じる方向（紙面において左下方向）の力を作用させ、これによって蓋体の閉止状態が維持される。
【００１４】
【発明の実施の形態】
以下、本発明に係る蓋開閉機構の一実施形態を図１ないし図１０に基づいて詳細に説明する。
【００１５】
実施形態１
図１は、本発明に係る蓋開閉機構を採用してなる給湯器のリモコン装置１を示している。このリモコン装置１は、ケース本体２に開閉可能に蓋部材（蓋体）３が設けられてなるもので、この蓋部材３の開閉機構として本発明の蓋開閉機構が採用されている。つまり、本発明の蓋開閉機構は、図１より明らかなように、いわゆる開き戸式の蓋の開閉機構である。
【００１６】
ケース本体２は、図２および図３に示すように、各種操作スイッチ７，７，…や表示パネル８等が実装された操作ケース４と、この操作ケース４の前面に装着される化粧枠５と、該操作ケース４を壁などに装着するための操作ケース台６とを主要部として構成されている。
【００１７】
より詳細には、操作ケース４は、図４に示すように、その正面に各種操作スイッチ７，７，…と、表示パネル８を備えて構成されている。そして、上記操作スイッチ７，７，…と表示パネル８とが実装されている部分Ａは、操作ケース４の周縁部分より一段盛り上げて構成されており（図３参照）、これら一段盛り上がった部分Ａが後述する化粧枠５とともに、リモコン装置１の表面に現れるものとされている（図１参照）。
【００１８】
そして、本実施形態では、上記各種操作スイッチ７，７，…のうちの一部の操作スイッチ７ａが、後述する蓋部材３によって覆われる隠しスイッチの形態とされている。なお、これら各種操作スイッチ７，７，…や表示パネル８は、いずれも操作ケース４の裏面側に装着された制御基板（図示せず）によって制御されている。また、図中の符号９は、上記制御基板と同様に操作ケース４の裏面側に装着されるスピーカ（図示せず）からの音声出力を遮らないための通し穴を示している。
【００１９】
また、この操作ケース４の表面周縁部（一段低い部分）には、該操作ケース４を上記操作ケース台６にネジ止め固定（図１(b) 参照）するためのネジ穴１０，１０，…が複数設けられるとともに、該操作ケース４に化粧枠５を装着する際の案内片１１，１１，…が起立状に設けられている。また、図中の符号１２は、化粧枠５を装着する際に該化粧枠５と係脱可能に係合する係合部であり、符号１３は装着した化粧枠５を取り外す際に用いる爪掛用の切欠溝を示している。
【００２０】
さらに、本実施形態では、上記蓋部材３の開閉用軸（回転軸）がリモコン装置１の下端部に設けられていることに関連して、操作ケース４の表面下部周縁部に、後述する弾発係止部１８，１８の逃がし穴１４，１４が設けられており、また、この逃がし穴１４，１４の近傍位置に、後述する化粧枠５の撓み防止用の係合片２０と係合する係合穴１５，１５が設けられている。なお、上記逃がし穴１４は、弾発係止部１８の具体的な形状等に応じて適宜省略可能である。
【００２１】
なお、操作ケース４の表面左右の周縁部には、上記操作ケース台６を貫通する貫通穴１６，１６が設けられ、この貫通穴１６，１６を用いてリモコン装置１を壁などに装着できるように構成されている。
【００２２】
化粧枠５は、上記操作ケース４の表面周縁部に装着されることによって、該操作ケース４の周縁部に設けられた上記逃がし穴１４や係合穴１５などを覆い隠す部材であって、この化粧枠５の連結部Ｂに上記蓋部材３が開閉可能に装着されている。
【００２３】
具体的には、この化粧枠５は、図５に示すような形状をもったプラスチック製（たとえばＡＢＳ樹脂製など）の一体成形品とされる。すなわち、この化粧枠５は、上記操作ケース４の表面周縁部（一段低い部分）と略同じ外形・寸法をもった方形状の枠体であって、その下端部に上記蓋部材３を装着するための切り込みが形成されている。そして、その切り込み部分の端面５ａ，５ａには、それぞれ蓋部材３の回転軸が挿通可能な形状・寸法の軸受穴１７，１７が対向して設けられている（図６参照）。
【００２４】
そして、この切り込み部分には、後述する蓋部材３の押圧部２３と対応する位置に、該押圧部２３と対向するように弾発係止部（弾発係止部材）１８，１８が形成されている。この弾発係止部１８は、弾性変形可能な形状・構造をもって構成されており、本実施形態では、図６に示す断面形状をもって構成されている。
【００２５】
つまり、この弾発係止部１８は、その断面形状において、上記切り込み部分と略同様のアール形状１８ａをもって成形され、その先端に球状の係止部１９が突出状に形成されている。また、この弾発係止部１８は、その左右両側が切り欠かれることによって（図５参照）、上記切り込み部分の底面５ｂとは独立して弾性変形可能なように構成されている。そのため、この弾発係止部１８は、上記係止部１９に外側（つまり、係止部１９の頂上方向）から圧力が作用した場合、上記アール形状１８ａのもつ弾性によって上記係止部１９が内側（つまり、図６の紙面において右側）に撓むものとされている。
【００２６】
また、この化粧枠５は、その裏面に突出状の係合片２０，２０が形成されている。この係合片２０は、化粧枠５の撓みを防止するためのものであって、上記弾発係止部１８の近傍位置に配設される。そして、この係合片２０は、上記化粧枠５を操作ケース４に装着した際に上記係合穴１５に挿通され、これによって上記弾発係止部１８が弾性変形する際に化粧枠５に生じる撓みよる化粧枠５の変形が防止されている。
【００２７】
また、この化粧枠５の裏面には、図５(c) に示すうよに、上記操作ケース４の案内片１１に沿って化粧枠５の位置決めを行う案内リブ２１，２１，…が形成されている。
【００２８】
一方、蓋部材３は、上記化粧枠５の切り込み部分に装着されるものであって、上記化粧枠５と同様にプラスチック製の一体成形品とされる。具体的には、この蓋部材３は、図７および図８ (a) に示すように、その基端部がわずかに曲折された略方形の板状に形成されている。そして、その基端部両端に該蓋部材３の回転軸となる軸用突起２２，２２が形成され、この軸用突起２２，２２が上記化粧枠５の軸受穴１７，１７に挿入されることによって、該蓋部材３が化粧枠５に対して開閉可能に装着される。
【００２９】
また、この蓋部材３の開閉動作に関連して、該蓋部材３の基端部の所定位置には、上記弾発係止部１８と協働する押圧部（押圧部材）２３，２３が形成されている。この押圧部２３は、図８(b),(c) に示すような形状・構造を有している。
【００３０】
より詳細には、この押圧部２３は、図８(b) に示すように、上記蓋部材３の基端部（つまり、図示例では蓋部材３の下端部）の一部分だけを内側に（つまり、蓋部材３の裏面側に）突出させたものであって、その突出形状は、図８(c) に示されるような断面略三角形状となる形態が好適に採用され得る。
【００３１】
すなわち、この場合における押圧部２３の形状は、上記回転軸（軸用突起２２）との位置関係で見れば、上記回転軸と並行して設けられた一対の傾斜面２３ａ，２３ｂとして把握される。そして、そのうちの一方の面２３ａが、上記蓋部材３が閉じられた際に上記弾発係止部１８の弾発力が作用する閉止状態維持面とされ（図９(d) 参照）、また、他方の面２３ｂが蓋部材の開閉動作中に弾発係止部１８と接触する（図９(b) 参照）接触面とされる。
【００３２】
より詳細には、この閉止状態維持面２３ａは、上記蓋部材３の裏面側に形成され、上記蓋部材３が閉じられて上記弾発係止部１８の弾性力が作用した際に、蓋部材３を、上記回転軸を支点として閉じる方向（つまり、蓋部材３の先端部を内向きに回転させる方向）に力が作用するように、その傾斜面の形状等が設定されている。
【００３３】
そして、本実施形態では、このように断面略三角形状に形成された押圧部２３の頂上部分は、後述する如く蓋部材３の開閉動作の障害とならない高さに設定され、かつ、その頂上部分の形状は、蓋部材３の開閉を円滑に行えるようなアール形状をもって形成されている。
【００３４】
なお、この蓋部材３に関連して図７に符号２４で示したのは、該蓋部材３を開閉するための把手であり、また、符号２５で示すのは、上記操作ケース４の通し穴９に連通するように形成された音声出力用の通し穴である。
【００３５】
しかして、このように構成されてなるリモコン装置１においては、上記蓋部材３の開閉動作は以下のようにして行われる。以下、この開閉動作について図９に基づいて説明する。
【００３６】
まず、図９(a) に蓋部材３を開いた状態を示す。この状態では、上記弾発係止部１８の係止部１９は、蓋部材３の表面基端側に弾発的に当接されている。
【００３７】
そして、上記蓋部材３を閉じる動作（閉止動作）が開始されると、この蓋部材３の閉止動作に連動した押圧部２３の働きによって、上記弾発係止部１８は、図９(b) および図９（c)の如く順次弾性変形される。このとき、本実施形態では、押圧部２３の形態が上述したような断面略三角形状とされているため、蓋部材３の閉止動作開始当初において、上記弾発係止部１８の係止部１９は、蓋部材３の基端部表面側から上述した押圧部２３の傾斜面２３ｂの形状に沿って、これをならうようにスライドされる。
【００３８】
つまり、ユーザは、蓋部材３の閉止動作を行う際、まず、上記弾発係止部１８（具体的には係止部１９）が蓋部材３に与える弾発力に抗して（つまり、弾発係止部１８に弾性変形を与えつつ）蓋部材３を閉じる操作を行う必要がある。
【００３９】
そして、かかる弾発力に抗しつつ閉止動作を継続すると、図９(c) に示す如く、上記弾発係止部１８の係止部１９が上記押圧部２３の頂上付近に達し、そのまま閉止動作を続行すると、上記係止部１９が押圧部２３の頂上を乗り越えて上述した閉止状態維持面２３ａに到達する。
【００４０】
そして、上記弾発係止部１８の係止部１９が閉止状態維持面２３ａに到達すると、弾発係止部１８の弾発力（復元力）によって閉止状態維持面２３ａに圧力が加えられる（図９(d) 参照）。このとき、上記閉止状態維持面２３ａは、上記蓋部材３が閉じられた際に、上記弾発係止部１８の弾性力が上記回転軸を支点として蓋部材３を閉じる方向（つまり、蓋部材３の先端部を内向きに回転させる方向）に作用するように設定されているので、この弾発係合部１８の弾性力によって上記蓋部材３が閉止され、かつその閉止状態が維持される。つまり、上記蓋部材３は、該蓋部材３を閉じることによってその基端部に作用する上記弾発係止部１８の弾発力により付勢され、これによってその閉止状態が維持されている。
【００４１】
なお、このようにして閉止状態とした蓋部材３を開く場合には、上述した閉止動作とは反対に、上記弾発係止部１８の弾性力に抗して蓋部材３を開く力を外部から加えればよい。つまり、ユーザは蓋部材３の先端側を引き起こす操作をすることにより、上記弾発係止部１８と押圧部２３とが図９(d) から図９(a) に示す順序で作用し、蓋部材３が開放状態とされる。
【００４２】
このように、本発明に係る蓋開閉機構を備えたリモコン装置１によれば、弾性係止部１８の弾性力によって蓋部材３の閉止状態が維持されるので、機械的な構造のみによって、換言すれば、磁性体や鉄片などの特別な部品を必要しない蓋開閉機構を提供できる。しかも、この蓋開閉機構では、弾発係止部１８や押圧部２３の形状等に多少の製造誤差（バラツキ）が生あっても、かかるバラツキの殆どは弾発係止部１８の弾性力によって吸収・解消されるので、製造に際して厳密な寸法管理を必要とすることなく蓋部材３の開閉機構を実現できる。そのうえ、弾発係止部１８や押圧部２３は、それぞれ化粧枠５や蓋部材３と一体成形で構成されるので、部品点数の増加を伴うことなく安価に蓋開閉機構を提供することができる。
【００４３】
実施形態２
次に、本発明の第２の実施形態を図１０に示す。この図１０に示す実施形態は、上記第１の実施形態と同様に、本発明を給湯器のリモコン装置に適用した場合を示しており、この実施形態においては上記第１の実施形態と弾発係止部１８の形状、より具体的には該弾発係止部１８の先端に設けられた係止部１９の形状が相違する。したがって、図１０において上記第１の実施形態と共通する部位には同一の符号してその説明を省略するとともに、改変された係止部を１９’として以下に説明する。
【００４４】
すなわち、この第２の実施形態における係止部１９’は、上記第１の実施形態において球状の突起として構成されていた係止部１９を、上述した蓋部材３の回転軸方向に延びた、いわゆるかまぼこ状の突起として形成したものである。より具体的には、この係止部１９’は、上記回転軸方向のいずれの部位で切断してもその断面形状が上述した図６と同様に現れるように構成したものであり、この場合、この係止部１９’と上記押圧部２３との接触部分は上記第１の実施形態と異なり線接触状態となる（上記第１の実施形態では点接触状態であった）。
【００４５】
そして、この第２の実施形態における蓋部材３の開閉動作は、かかる押圧部２３と係止部１９’との接触状態が変更されるだけで、その他の点においては上記第１の実施形態と同様である。
【００４６】
つまり、上記第１および第２の実施形態に示した係止部１９，１９’の形状は、これまでに図示したような形状（球状やかまぼこ状）に限られるものではなく、本発明の作用（具体的には、上記蓋部材３の開閉動作に連動して係止部１９，１９’が押圧部２３の頂上を乗り越えるとともに、蓋部材３が閉止状態にある際に閉止状態維持面２３ａに弾発係止部１８の弾発力を伝達する作用）を実現できる形状であれば、上記図示例以外の形状・構造とすることが可能である。
【００４７】
なお、上述した実施形態は本発明の好適な実施態様を示すものであって、本発明はこれらに限定されることなく、その発明の範囲内で種々設計変更可能である。
【００４８】
たとえば、上記実施形態では、本発明の蓋開閉機構を、給湯器のリモコン装置１における操作スイッチ７ａの隠し蓋の開閉機構として用いた場合を示したが、本発明の蓋開閉機構はかかるリモコン装置１以外の装置にも適用可能である。
【００４９】
また、上記実施形態では、該蓋開閉機構によって開閉される蓋部材３はいずれも下向きに開く構成を採用したが、たとえば図１１(b) に示すように横向きに開く場合や、図示しないが上向きに開く場合にも適用可能である。さらに、上記実施形態では、リモコン装置１のケース本体側（具体的には化粧枠５）に弾発係止部１８を設けるとともに、蓋部材３側に押圧部２３を形成した場合を示したが、これらの配置は逆転することも可能である。また、弾発係止部１８や押圧部２３の配設位置や配設数も適宜設計変更可能である。
【００５０】
【発明の効果】
以上詳述したように、本発明によれば、上記目的を達成するため、本発明に係る蓋開閉機構は、蓋体を装着するための切り込み部分が形成されているケース本体と、このケース本体の切り込み部分に開閉可能に設けられた蓋体の開閉機構であって、上記ケース本体が、各種操作スイッチや表示パネルが実装された操作ケースの前面に上記切り込み部を有する化粧枠を装着してなるリモコン装置の形態とされるとともに、上記蓋体が上記化粧枠に装着されてなるものにおいて、上記ケース本体側の切り込み部分に上記化粧枠と一体成形で設けられた弾性変形可能な弾発係止部材と、上記蓋体と一体成形され、上記蓋体の開閉動作に連動して上記弾発係止部材を弾性変形させる押圧部材とを備えてなり、上記弾発係止部材は、その両端が切り欠かれることによって上記切り込み部分とは独立して弾性変形可能に構成されるとともに、その先端に球状の係止部が突出状に備えられ、この係止部を介して上記弾発係止部材と押圧部材とが接触するものとされ、上記押圧部材は、上記蓋体の基端部に内側に断面が略三角形状に突出する一対の傾斜面を備え、この一対の傾斜面は、上記蓋体を閉じたときに弾発係止部材の弾発力が作用する閉止状態維持面と、蓋体の開閉動作中に弾発係止部材が接触する接触面とを構成し、上記蓋体の閉止動作に連動した押圧部材の働きによって、上記蓋体の閉止動作開始当初に蓋体の表面側に弾発的に当接されていた弾発係止部が、蓋体の閉止動作に伴って弾性変形しつつ閉止動作の継続によって押圧部材の頂上を乗り越えて上記閉止状態維持面に到達することにより、上記弾発係止部材の弾発力が上記閉止状態維持面に作用して、上記蓋体を閉止方向に付勢するように構成されていることから、該蓋体は、当該蓋体の開閉動作に連動して作用する弾性係止部材の弾性力によってその閉止状態を維持することができる。
【００５１】
このため、本発明ではかかる機械的な構造のみによって、換言すれば、従来のように磁性体や鉄片などを用いることなく蓋体の閉止状態を維持することができ、リモコン装置等の製造コストを安価に抑えることができる。また、これに関連して、従来のような磁性体等の封入漏れによるクレームを解消することもできる。
【００５２】
その上、押圧部材の動作に対応して弾発係止部材が弾性変形するように構成されているため、押圧部材や弾発係止部材の形状等に多少の製造誤差（バラツキ）があっても、かかる製造誤差は上記弾発係止部材の弾性変形によって吸収・解消できるので、蓋開閉機構を構成する部品等の製造に際して厳密な寸法管理を必要とせず、しかも、従来のような経年劣化（磨耗など）の問題も少なく長期間安定して蓋体の開閉を行わせることができる。
【００５３】
さらに、弾発係止部材や押圧部材は、それぞれ本体ケースや蓋体と一体成形によって製作できるので、部品点数の増加を伴うことなく蓋開閉機構を安価に実現することができる。
【図面の簡単な説明】
【図１】本発明に係る蓋開閉機構を適用した給湯器のリモコン装置を示しており、図１(a) は当該リモコン装置の蓋を閉じた状態を示す正面図を、図１(b) は蓋を開いた状態の正面図をそれぞれ示している。
【図２】同リモコン装置の側面図である。
【図３】同リモコン装置の組み立て状態を示す説明図である。
【図４】同リモコン装置の本体ケースを構成する操作ケースの正面図である。
【図５】同リモコン装置の本体ケースを構成する化粧枠を示しており、図５(a) は該化粧枠の正面図を、図５(b) は底面図を、図５(c) は背面（裏面）図をそれぞれ示している。
【図６】図５(a) のV-V 線に沿った拡大断面図である。
【図７】同リモコン装置の本体ケースを構成する化粧枠の蓋部材を示しており、図７(a) は該蓋部材の正面図を、図５(b) は背面（裏面）図をそれぞれ示している。
【図８】同リモコン装置の本体ケースを構成する化粧枠の蓋部材を示しており、図８(a) は該蓋部材の側面図を、図８(b) は図７のVIII-VIII 線に沿った拡大断面図を、図８(c) は図７のVIII'-VIII' 線に沿った拡大断面図をそれぞれ示している。
【図９】同リモコン装置の蓋部材の開閉動作を説明する説明図であり、図９(a) から図９(d) に当該蓋部材を開いた状態から閉じた状態までの動作について、蓋部材と本体ケースの連結部を拡大して示した要部断面図である。
【図１０】同リモコン装置における化粧枠の改変例を示しており、図１０(a) は該化粧枠の下端部の一部拡大正面図を、また図１０(b) は該化粧枠の下端部の一部拡大底面図をそれぞれ示している。
【図１１】従来のリモコン装置の蓋開閉機構の説明図であり、図１１(a) は開閉機構に磁性体を用いた場合の正面図を、また図１１(b) は開閉機構に係合突起を用いた場合の正面図をそれぞれ示している。
【符号の説明】
１                リモコン装置
２                ケース本体
３                蓋部材（蓋体）
４                操作ケース
５                化粧枠
６                操作ケース台
７                操作スイッチ
７ａ              隠しスイッチ
８                表示パネル
１８              弾発係止部（弾発係止部材）
１９              係止部（球状突起）
２３              押圧部（押圧部材）
２３ａ            閉止状態維持面
Ｂ                連結部
【図１】
0004449123.tif 000002
【図２】
0004449123.tif 000003
【図３】
0004449123.tif 000004
【図４】
0004449123.tif 000005
【図５】
0004449123.tif 000006
【図６】
0004449123.tif 000007
【図７】
0004449123.tif 000008
【図８】
0004449123.tif 000009
【図９】
0004449123.tif 000010
【図１０】
0004449123.tif 000011
【図１１】
0004449123.tif 000012